(57)【要約】【課題】集魚効果が高くしかもバラシが少ない釣り具を提供する。【解決手段】本発明の釣り具Ｆは、道糸８０の上下動により仕掛け８５に横方向の推力を付与する推力付与体を備えてなるもので、胴１０と胴１０の上面に配設された水平翼３０と、水平翼３０の上面に配設された垂直翼４０とを有する。主として水平翼３０に作用する水圧の反力により横方向の推力を生成するものである。かかる構成とされているところから、道糸の上下動に連れて仕掛けが横移動するので、餌も横移動する。このため、集魚効果が高い。【選択図】図９
2013158265.tif 000002
【特許請求の範囲】
【請求項１】
道糸の上下動により仕掛けに横方向の推力を付与する推力付与体を備えてなることを特徴とする釣り具。
【請求項２】
仕掛けの一端に係止される第１推力付与体と、仕掛けの他端に係止される第２推力付与体とを備えてなることを特徴とする請求項１記載の釣り具。
【請求項３】
推力付与体が、水平翼を有してなることを特徴とする請求項１記載の釣り具。
【請求項４】
水平翼に垂直翼が配設されてなることを特徴とする請求項３記載の釣り具。
【請求項５】
垂直翼が上縁に沿った複数の透孔を有してなることを特徴とする請求項４記載の釣り具。
【請求項６】
推力付与体が、水平翼が配設される胴を有してなることを特徴とする請求項３記載の釣り具。
【請求項７】
水平翼が胴にビス留めされてなることを特徴とする請求項６記載の釣り具。
【請求項８】
胴がビス穴を複数列有してなることを特徴とする請求項７記載の釣り具。
【請求項９】
胴が、仕掛けまたは道糸が係止される係止具または係止部を有してなることを特徴とする請求６記載の釣り具。
【請求項１０】
胴が流線形とされてなることを特徴とする請求６記載の釣り具。
【請求項１１】
胴が、水平翼が載置される一段と低くされた平坦部を有してなることを特徴とする請求６記載の釣り具。
【請求項１２】
胴が表面から裏面に貫通する貫通孔を有してなることを特徴とする請求６記載の釣り具。
【請求項１３】
水平翼が、仕掛けまたは道糸が係止される係止具または係止部を有してなることを特徴とする請求３記載の釣り具。
【請求項１４】
水平翼が、三角形状、長方形状、または半円形と長方形とを組み合わせた形状とされてなることを特徴とする請求３記載の釣り具。
【請求項１５】
水平翼の姿勢を制御する姿勢制御機構を有してなることを特徴とする請求項５記載の釣り具。
【請求項１６】
姿勢制御機構が、姿勢制御部と該姿勢制御部を支持する支持部とを含み、
前記姿勢制御部は、伸縮自在とされた姿勢制御部材と、該姿勢制御部材の上端に配設された上制御部係止部材または上制御部係止部と、該姿勢制御部材の下端に配設された下制御部係止部材または下制御部係止部とを有し、
前記支持部は、支持糸と、支持糸の上端に設けられた支持部上部係止部材または支持部上部係止部と、支持糸の下端に設けられた支持部下部係止部材または支持部下部係止部とを有し、
前記支持部上部係止部材または支持部上部係止部が道糸または仕掛けに係止され、前記支持部下部係止部材または支持部下部係止部が胴の係止部材または係止部に係止され、
前記上制御部係止部材または上制御部係止部が、前記前記支持部上部係止部材または支持部上部係止部に係止され、前記下制御部係止部材または下制御部係止部が、垂直翼の透孔に係止されてなる
ことを特徴とする請求項１５記載の釣り具。
【請求項１７】
支持部が姿勢制御部の上制御部係止部材または上制御部係止部の係止位置を調整する上端位置調整具を有してなることを特徴とする請求項１６記載の釣り具。
【請求項１８】
上端位置調整具が、支持糸にスライド自在に嵌挿される球状体と、該球状体の位置決めをする位置決め部材とを含むものとされてなることを特徴とする請求項１７記載の釣り具。
【請求項１９】
姿勢制御部材がコイルバネまたはゴム紐とされてなることを特徴とする請求項１８記載の釣り具。
【請求項２０】
水平翼に反射フィルムまたはホログラムフィルムが貼付されてなることを特徴とする請求項３記載の釣り具。
【請求項２１】
水平翼が反射特性を有する合成樹脂からなるものとされてなることを特徴とする請求項３記載の釣り具。
【請求項２２】
垂直翼に反射フィルムまたはホログラムフィルムが貼付されてなることを特徴とする請求項４記載の釣り具。
【請求項２３】
垂直翼が反射特性を有する合成樹脂からなるものとされてなることを特徴とする請求項４記載の釣り具。
【請求項２４】
垂直翼が方向舵を有してなることを特徴とする請求項４記載の釣り具。
【請求項２５】
釣り具が釣り針とされ、該釣り針に推力付与体が装着されてなることを特徴とする請求項１記載の釣り具。
【請求項２６】
推力付与体が軟質の合成樹脂フィルムからなる水平翼とされてなることを特徴とする請求項２５記載の釣り具。
【発明の詳細な説明】
【技術分野】
【０００１】
本発明は釣り具に関する。さらに詳しくは、釣り針が魚の上顎に掛り釣り落とし、いわゆるバラシが少なくしかも集魚効果も高い釣り具に関する。
【背景技術】
【０００２】
従来より、娯楽の一種として釣り針を用いた釣りがさかんに行われている。この釣り針を用いた釣りにおける難点の一つに、釣りあげて手元まで来た魚が海や湖に落下する、いわゆるバラシがある。このバラシは、顎の弱い魚、例えばアジにおいて顕著である。
【０００３】
また、集魚効果を狙って撒き餌して竿を上下させるいわゆるシャクリもなされているが、期待した釣果が得られないこともある。
【０００４】
なお、水中翼を有する仕掛けについては、特許文献１に提案がなされている。
【先行技術文献】
【特許文献】
【０００５】
【特許文献１】特開２００８−２５９４８１号公報
【発明の開示】
【発明が解決しようとする課題】
【０００６】
本発明はかかる従来技術の課題に鑑みなされたものであって、集魚効果が高くしかもバラシが少ない釣り具を提供することを目的としている。
【課題を解決するための手段】
【０００７】
本発明者はかかる従来技術の課題について鋭意研究した結果、道糸の上下動を利用して仕掛けを横移動させることにより集魚効果が得られるとともに、バラシが少なくなることを見出し、本発明を完成するに至った。
【０００８】
すなわち、本発明の釣り具は、道糸の上下動により仕掛けに横方向の推力を付与する推力付与体を備えてなることを特徴とする。
【０００９】
本発明の釣り具においては、仕掛けの一端に係止される第１推力付与体と、仕掛けの他端に係止される第２推力付与体とを備えてなるものとされてもよい。
【００１０】
また、本発明の釣り具においては、推力付与体が水平翼を有してなるのが好ましい。
【００１１】
さらに、本発明の釣り具においては、水平翼に垂直翼が配設されてなるのが好ましい。
【００１２】
さらに、本発明の釣り具においては、垂直翼が上縁に沿った複数の透孔を有してなるのが好ましい。
【００１３】
さらに、本発明の釣り具においては、推力付与体が、水平翼が配設される胴を有してなるのが好ましい。
【００１４】
さらに、本発明の釣り具においては、水平翼が胴にビス留めされてなるのが好ましい。その場合、胴がビス穴を複数列有してなるのがさらに好ましい。
【００１５】
さらに、本発明の釣り具においては、胴が仕掛けまたは道糸が係止される係止具または係止部を有してなるのが好ましい。
【００１６】
さらに、本発明の釣り具においては、胴が流線形とされてなるのが好ましい。
【００１７】
さらに、本発明の釣り具においては、胴が水平翼が載置される一段と低くされた平坦部を有してなるのが好ましい。
【００１８】
さらに、本発明の釣り具においては、胴が表面から裏面に貫通する貫通孔を有してなるのが好ましい。
【００１９】
さらに、本発明の釣り具においては、水平翼が仕掛けまたは道糸が係止される係止具または係止部を有してなるのが好ましい。
さらに、本発明の釣り具においては、水平翼が、三角形状、長方形状、または半円形と長方形とを組み合わせた形状とされてもよい。
【００２０】
さらに、本発明の釣り具においては、水平翼の姿勢を制御する姿勢制御機構を有してなるのが好ましい。
【００２１】
さらに、本発明の釣り具においては、姿勢制御機構が、姿勢制御部と該姿勢制御部を支持する支持部とを含み、前記姿勢制御部は、伸縮自在とされた姿勢制御部材と、該姿勢制御部材の上端に配設された上制御部係止部材または上制御部係止部と、該姿勢制御部材の下端に配設された下制御部係止部材または上制御部係止部とを有し、前記支持部は、支持糸と、支持糸の上端に設けられた支持部上部係止部材または支持部上部係止部と、支持糸の下端に設けられた支持部下部係止部材または支持部下部係止部とを有し、前記支持部上部係止部材または支持部上部係止部が道糸または仕掛けに係止され、前記支持部下部係止部材または支持部下部係止部が胴の係止部材または係止部に係止され、前記上制御部係止部材または上制御部係止部が、前記前記支持部上部係止部材または支持部上部係止部に係止され、前記下制御部係止部材または下制御部係止部が、垂直翼の透孔に係止されてなるのが好ましい。
【００２２】
その場合、支持部が姿勢制御部の上制御部係止部材または上制御部係止部の係止位置を調整する上端位置調整具を有してなるのがさらに好ましい。ここで、  上端位置調整具は、例えば、支持糸にスライド自在に嵌挿される球状体と、該球状体の位置決めをする位置決め部材とを含むものとされる。また、姿勢制御部材は、例えば、コイルバネまたはゴム紐とされる。
【００２３】
さらに、本発明の釣り具においては、水平翼に反射フィルムまたはホログラムフィルムが貼付されてなるのが好まし。
【００２４】
さらに、本発明の釣り具においては、水平翼が反射特性を有する合成樹脂からなるものとされてなるのが好ましい。
【００２５】
さらに、本発明の釣り具においては、垂直翼に反射フィルムまたはホログラムフィルムが貼付されてなるのが好ましい。
【００２６】
さらに、本発明の釣り具においては、垂直翼が反射特性を有する合成樹脂からなるものとされてなるのが好ましい。
【００２７】
さらに、本発明の釣り具においては、垂直翼が方向舵を有してなるのが好ましい。
【００２８】
さらに、本発明の釣り具においては、釣り具が釣り針とされ、該釣り針に推力付与体が装着されるようにされてもよい。その場合、推力付与体が軟質の合成樹脂フィルムからなる水平翼とされるのが好ましい。
【発明の効果】
【００２９】
本発明の釣り具は、前記の如く構成されているので、道糸の上下動により仕掛けを横方向に移動させることができる。そのため、集魚効果が高く、しかも釣り針が魚の上顎にかかるので、バラシがすくないという優れた効果を奏する。
【図面の簡単な説明】
【００３０】
【図１】本発明の実施形態１に係る釣り具の平面図である。
【図２】同正面図である。
【図３】同右側面図である。
【図４】翼の概略図であって、同（ａ）は水平翼を示し、同（ｂ）は垂直翼を示す。
【図５】水平翼の他の例の概略図である。
【図６】胴の変形例の平面図である。
【図７】垂直翼の他の例の概略図である。
【図８】垂直翼の位置の他の例の概略図である。
【図９】本実施形態の釣り具の動作説明図であって、同(ａ)は静止状態を示し、同(ｂ)は斜め上方に移動している状態を示し、同(ｃ)は斜め下方に移動している状態を示す。
【図１０】本発明の実施形態２に係る釣り具の平面図である。
【図１１】同正面図である。
【図１２】同右側面図である。
【図１３】本発明の実施形態３に係る釣り具の側面図である。
【図１４】同釣り具の動作説明図であって、同(ａ)は静止状態を示し、同(ｂ)は斜め上方に移動している状態を示し、同(ｃ)は斜め下方に移動している状態を示す。
【図１５】本発明の実施形態４に係る釣り具の側面図である。
【図１６】本発明の実施形態５に係る釣り具の要部三面図であって、同(ａ)は平面図を示し、同(ｂ)は側面図を示し、同(ｃ)は変形例の側面図を示す。
【図１７】本発明の実施形態６に係る釣り具の要部三面図であって、同(ａ)は平面図を示し、同(ｂ)は側面図を示し、同(ｃ)は変形例の側面図を示す。
【図１８】本発明の実施形態７に係る釣り具の側面図である。
【図１９】本発明の実施形態８に係る釣り具セットの概略図である。
【図２０】本発明の実施形態９に係る釣り具セットの概略図である。
【図２１】本発明の変形例における胴の平面図である。
【図２２】本発明の別の変形例における翼の二面図であって、同(ａ)は平面図を示し、同(ｂ)は側面図を示す。
【図２３】本発明のさらに別の変形例における胴の概略図である。
【図２４】本発明のさらに別の変形例の概略図である。
【図２５】本発明のさらに別の変形例における翼の概略図である。
【図２６】本発明のさらに別の変形例の二面図である。
【図２７】本発明のさらに別の変形例の二面図である。
【発明を実施するための形態】
【００３１】
以下、添付図面を参照しながら本発明を実施形態に基づいて説明するが、本発明はかかる実施形態のみに限定されるものではない。
【００３２】
概要
本発明の釣り具は、道糸の上下動により仕掛けを横移動させる推力付与する推力付与体を備えてなるものとされる。以下、具体的に説明する。
【００３３】
実施形態１
本発明の実施形態１に係る推力付与体が具現化された釣り具Ｆを図１−３に示す。本実施形態の釣り具Ｆは、船釣りや堤防でのさびき釣りに用いられるものである。
【００３４】
釣り具Ｆは、図１−３に示すように、胴１０と、胴１０の上面に配設された翼２０とを主要構成要素として備えてなるものとされる。
【００３５】
胴１０は、例えば釣りの錘と同種の材料からなるものとされ、その形状は先端部が先が丸みを帯びた三角形とされた直方体状とされる。なお、胴１０の材料としては、鉛、真鍮、ステンレス鋼なども用いることができる。
【００３６】
胴１０のサイズは、幅が２０ｍｍ−３０ｍｍ程度、長さが３０ｍｍ−５０ｍｍ程度、厚さが１０ｍｍ−３０ｍｍ程度とされる。胴１０の重量は、錘の２０号−７０号の重さに相当するものとされる。
【００３７】
胴１０の三角形とされた先端部上部の中心線上の適宜位置、例えば先端部中心には、道糸を係止するための係止具１１が装着されている。係止具１１は、胴１０の上面に固設された本体１１ａと、本体１１ａに回転自在に装着されたリング状部材１１ｂとを含むものとされる。つまり、係止具１１は「撚り戻し(サルカン)」としての機能を有するものとされる。
【００３８】
胴１０の三角形とされた先端部下部の中心線上の適宜位置、例えば前記係止具１１に対応する位置には、仕掛けを係止するための係止具１２が装着されている。係止具１２は、胴１０の底面に固設された本体１２ａと、本体１２ａに回転自在に装着されたリング状部材１２ｂとを含むものとされる。つまり、係止具１２は「撚り戻し(サルカン)」としての機能を有するものとされる。
【００３９】
翼２０は水平翼３０と垂直翼４０とを含むものとされ、翼２０の材質は耐食性金属または合成樹脂とされる。耐食性金属としては、例えばステンレス鋼が用いられる。
【００４０】
水平翼３０は、例えばデルタ状翼（以下、単にデルタ翼という）３１とされる。デルタ翼３１は、先端の角θ１（図４（ａ）参照）が２５度−９０度程度、長さが４０ｍｍ−７０ｍｍ程度、幅が５０ｍｍ−７０ｍｍ程度とされる。水平翼３０の形状は、図示例では二等辺三角形状とされているが、図５に示すように、後縁が後方に伸びた形状とされてもよく、翼端が切断された形状とされてもよい。水平翼３０は、例えばビス留め、接着剤接合、溶接などにより胴１０に固定される。
【００４１】
水平翼３０を胴１０にビス留めする場合は、図６に示すように、胴１０にビス留め用のねじ穴１３を数列設けておき、水平翼３０の取付位置を変更できるようにされているのが好ましい。そうすることより、釣り具Ｆの動きに変化を持たせることができる。また、形状の異なる水平翼３０と垂直翼４０との組を数種設けておき、潮の流れや波の状態に応じて翼２０が交換できるようのされているのがさらに好ましい。
【００４２】
垂直翼４０は、例えばデルタ状翼（以下、単にデルタ翼という）４１とされる。デルタ翼４１は、傾斜角θ２（図４（ｂ）参照）が１５度〜４５度程度、長さが３０ｍｍ−６０ｍｍ程度、高さが２０ｍｍ−４０ｍｍ程度とされる。垂直翼４０の形状は、図示例では後縁が後方に伸びた鈍角三角形とされているが、図７に示すように、直角三角形や上の角が裁断された台形状とされてもよい。垂直翼４０は、溶接や融着により水平翼３０上面の所定位置、例えば中心線上に配設される。
【００４３】
垂直翼４０の上部には、図３に示すように、道糸を係止するなどのために透孔４０ａが所要数上縁に沿って設けられていてもよい。
【００４４】
垂直翼４０は、図示例では後部角が水平翼３０の後縁に一致させられているが、垂直翼４０の位置は図示例に限定されるものではなく、図８に示すように、後部角が前方に移動させられた位置とされてもよい。
【００４５】
次に、かかる構成とされた釣り具Ｆによる釣りの一例について説明する。
【００４６】
ステップ１：胴１０上部の係止具１１のリング状部材１１ｂに仕掛け８５の下端を係止する。この場合、図９に示すように、補助糸８６の一端を仕掛けの適宜位置に係止し、他端を垂直翼４０の透孔４０ａに結束して釣り具Ｆの姿勢の安定を図るようにされてもよい。
【００４７】
ステップ２：釣り針に餌を付けて釣り具Ｆを水中に投下する。
【００４８】
ステップ３：釣り具Ｆが所定の水深に到達すると、道糸を軽くシャクル。このシャクリにより釣り具Ｆが上昇したり下降したりするとともに、水平翼３０に作用する水圧の反力により釣り具Ｆが前進する。この結果、釣り具Ｆが斜め上方や斜め下方に移動する。釣り具Ｆは、道糸を２０ｃｍ程度上昇させると、釣り具Ｆの水深にもよるが１ｍ程度横移動する。同様に、道糸を２０ｃｍ程度下降させると、釣り具Ｆの水深にもよるが１ｍ程度横移動する。また、胴１０先端部が三角形とされるとともに、垂直翼４０が設けられているので、潮の流れがある場合、釣り具Ｆは胴１０先端部を流れの上流側に向けた姿勢となる。そのため、上流の向かって泳ぐ習性のある魚を誘うのにも好都合である。
【００４９】
ステップ４：釣り具Ｆの斜め上方への移動にともなって仕掛け８５、つまり釣り針（餌）も斜め上方に移動する。あるいは、釣り具Ｆの斜め下方への移動にともなって仕掛け８５、つまり釣り針（餌）も斜め下方に移動する(図９参照)。
【００５０】
ステップ５：餌の動きに誘われた魚が餌に食いつくと、釣り針は斜め上方や斜め下方に移動しているため、釣り針は針の先を上方に向けた姿勢となるので、釣り針は魚の上顎に掛ることになる(図９参照)。
【００５１】
以後、リールを巻いて道糸を巻き上げることにより、魚を釣り上げることができる。この場合、釣り針が顎の固い上顎に掛っているので、顎の弱いアジなどでもバラスことなく釣り上げることができる。つまり、釣果が確実である。
【００５２】
このように、本実施形態によれば、２０ｃｍ程度のシャクリで釣り具Ｆが１ｍ程度横移動し、それに連れて餌も１ｍ程度横移動するので、魚を誘う効果が大きい。その上、釣り針が魚の上顎に掛るので、顎の弱いアジなどでもバラスことなく釣り上げることができる。しかもなお、竿の上下動を小さくできるので、シャクリにおける疲労を少なくできる。また、釣り竿を船に固定しておいても船の揺れに連れて餌が横移動するので、楽をしながら釣果を高めることができる。
【００５３】
なお、本実施形態においては、胴１０上部の係止具１１のリング状部材１１ｂに仕掛け８５を結束するようにされているが、胴１０上部の係止具１１のリング状部材１１ｂに道糸の末端を係止するようにされてもよい。
【００５４】
実施形態２
本発明の実施形態２に係る推力付与体が具現化された釣り具を図１０−１２に示す。本実施形態の釣り具Ｆは、実施形態１の胴１０を改変してなるものとされる。翼２０は、実施形態１と同様とされている。
【００５５】
釣り具Ｆは、図１０−１２に示すように、胴１０を扁平横長状としてなるものとされるとともに、三角形とされた先端部先端に係止片１４を突出させて形成してなるものとされる。胴１０のサイズは、幅が２０ｍｍ−３０ｍｍ程度、長さが５０ｍｍ−８０ｍｍ程度、厚さが５ｍｍ−１５ｍｍ程度とされる。胴１０の重量は、錘の１０号−３０号の重さに相当するものとされる。なお、胴１０のその余の構成は実施形態１と同様とされている。
【００５６】
係止片１４には、図１２に示すように、透孔１４ａが形成されている。透孔１４ａには、道糸の下端に係止されている、いわゆるスナップ付サルカンや仕掛け８５のスナップ付サルカンが係止される。なお、図示例では、透孔１４ａは一個とされているが、二個が縦方向に並べて設けられてもよい。
【００５７】
このように、本実施形態では、胴１０先端に道糸や仕掛けが係止される透孔１４ａを設けているので、実施形態１に比して構成の簡素化が図られる。
【００５８】
実施形態３
本発明の実施形態３に係る推力付与体が具現化された釣り具Ｆを図１３に示す。実施形態３は実施形態１を改変してなるものであって、姿勢制御機構５０を設けてなるものとされる。以下、実施形態３の実施形態１と異なる点を中心に説明する。
【００５９】
姿勢制御機構５０は、姿勢制御部６０と支持部７０とを含むものとされる。
【００６０】
姿勢制御部６０は、伸縮自在な弾性部材(姿勢制御部材)６１と、弾性部材６１の上端に係止されたスナップ付サルカン６２と、弾性部材６１の下端に係止されたスナップ付サルカン６３とを含むものとされる。なお、弾性部材６１の長さによっては、上端や下端に設けられているスナップ付サルカンを省略することもできる。弾性部材６１としては、例えばコイルバネやゴム紐などを用いることができる。
【００６１】
支持部７０は、支持糸７１と支持糸７１の上端に係止されたサルカン７２と、支持糸の下端に係止されたスナップ付サルカン７３とを含むものとされる。
【００６２】
姿勢制御部６０の上端のスナップ付サルカン６２は、支持部７０の上端のサルカン７２に係止される一方、姿勢制御部６０の下端のスナップ付サルカン６３は、垂直翼４０の上部に設けられた透孔４０ａに係止される。支持部７０の上端のサルカン７２は、道糸８０と係止されたり、道糸８０の下端に係止されているスナップ付サルカン８１に係止されたりする一方、下端のスナップ付サルカン７３は胴１０上部に配設された係止具１１のリング状部材１１ｂに係止される。ただし、弾性部材６１の上端や下端にスナップ付サルカン６２，６３が設けられていない場合には、弾性部材６１の上端や下端に設けられている係止具が支持部７０の上端のサルカン７２や垂直翼４０に設けられている透孔４０ａに係止される。なお、支持部７０の上端のサルカン７２は、仕掛け８５の下端のスナップ付サルカンに係止されてもよい。
【００６３】
この場合、姿勢制御部６０の長さおよび支持部７０の長さは、姿勢制御部６０と支持部７０と水平翼３０で形成される三角形が、姿勢制御部６０と支持部７０とが等辺の二等辺三角形状となるよう調整されるのが望ましい。
【００６４】
次に、かかる構成とされた釣り具Ｆの動作について説明する。
【００６５】
仕掛け８５を水中に投下する場合は、姿勢制御部６０がたわんで釣り具Ｆが先端部を下にしてほぼ垂直に降下する。喩えれば、デルタ翼のジェット機が垂直降下するようにして釣り具Ｆが降下する。
【００６６】
所定の水深に到達すると、姿勢制御機構５０が機能して釣り具Ｆは水平翼３０を水平にした状態となる。この状態で軽くシャクルと、実施形態１の場合と同様に、釣り具Ｆは、ほぼ水平な姿勢を維持しながら斜め上方や斜め下方に移動する(図１４参照)。
【００６７】
魚が掛かったりしたなどして仕掛け８５を急激に引き上げると、姿勢制御部６０の弾性部材６１が伸びて釣り具Ｆは先端部を上にしてほぼ垂直に上昇する。喩えれば、デルタ翼のジェット機が垂直上昇するようにして釣り具Ｆが上昇する。
【００６８】
このように、本実施形態によれば、姿勢制御機構５０を具えているので、通常の状態ではほぼ水平姿勢を維持しながら、釣り具Ｆの投下時および釣り上げ時に水平翼３０を設けたことによる抵抗の増大はない。つまり、仕掛け８５の投下および仕掛け８５の巻き上げがスムーズになし得る。
【００６９】
実施形態４
本発明の実施形態４に係る推力付与体が具現化された釣り具を図１５に示す。実施形態４は実施形態２を改変してなるものであって、姿勢制御機構５０を設けてなるものとされる。なお、姿勢制御機構５０は実施形態３と同様とされている。
【００７０】
本実施形態では、支持部７０の下端のスナップ付サルカン７３は、先端の係止片１４に設けられた透孔１４ａに係止される。
【００７１】
なお、実施形態４のその余の構成および作用・効果は、実施形態２および実施形態３と同様とされている。
【００７２】
実施形態５
本発明の実施形態５に係る推力付与体が具現化された釣り具Ｆの翼２０を図１６に示す。実施形態５は実施形態１を改変してなるものであって、水平翼３０は長方形状とされ(図１６（ａ）参照)、垂直翼４０は三角形状(図１６（ｂ）参照）、台形状や変形台形状(図１６（ｃ）参照）とされる。
【００７３】
このように、本実施形態においては水平翼３０が長方形状とされているので、釣り具Ｆの動きが実施形態１に比してゆったりとした動きとなる。
なお、実施形態５のその余の構成および作用・効果は実施形態１と同様とされている。
【００７４】
実施形態６
本発明の実施形態６に係る推力付与体が具現化された釣り具を図１７に示す。実施形態６は実施形態１を改変してなるものであって、水平翼３０は前部が円形とされ、後部が長方形とされた形状ｓされ(図１７（ａ）参照)、垂直翼４０は三角形状(図１７（ｂ）参照）、台形状や変形台形状(図１７（ｃ）参照）とされる。
このように、本実施形態においては水平翼３０が前記形状とされているので、釣り具Ｆの動きが実施形態５に比してやや速い動きとなる。
【００７５】
なお、実施形態６のその余の構成および作用・効果は実施形態１と同様とされている。
【００７６】
実施形態7
本発明の実施形態７に係る推力付与体が具現化された釣り具を図１８に示す。実施形態７は実施形態３を改変してなるものであって、姿勢制御部６０の位置調整がなし得るよう姿勢制御機構５０を改変したものとされる。以下、実施形態７の実施形態３と異なる点を中心に説明する。
【００７７】
姿勢制御機構５０は、図１８に示すように、姿勢制御部６０と支持部７０とを含むものとされるが、支持部７０の支持糸７１に姿勢制御部６０の上端の位置を調整できる上端位置調整具７４を装着してなるものとされる。また、実施形態７においては、胴１０の上下に配設されている係止具を廃止し、胴１０の先端部に表面から裏面に貫通する貫通孔１０ａを設け、支持糸７１の下端が貫通孔１０ａを通って胴１０の裏面に突出するようにさせ、その下端に下部のサルカン７３を係止するようにされているとともに、上部のサルカンを廃止してスナップ７７とされて構成の簡素化が図られている。
【００７８】
上端位置調整具７４は、支持糸７１にスライド自在に嵌挿される球状体７５と、支持糸７１に固着されて球状体７５の位置決めをする位置決め部材７６とを含むものとされる。上端位置調整具７４がかかる構成とされているところから、姿勢制御部６０の上端のスナップ付サルカン６２を球状体７５の上方で支持糸７１に係止すると、スナップ付サルカン６２が支持糸７１を降下して球状体７５に当接して姿勢制御部６０の位置決めがなされる。位置決め部材７６の位置を調整することにより、姿勢制御部６０の位置を所望の位置とすることができる。
【００７９】
本実施形態はかかる構成とされているところから、釣り場の状況に応じて姿勢制御部６０の位置調整がなし得るので、釣り具Ｆを釣り場における最適な状態とすることができる。
【００８０】
実施形態８
本発明の実施形態８に係る推力付与体が具現化された釣り具を図１９に示す。実施形態８は実施形態３を改変してなるものであって、実施形態３の釣り具Ｆを仕掛け８５の上下に配設して釣り具セットＳとしてなるものとされる。
【００８１】
釣り具セットＳは、図１９に示すように、下側に位置する釣り具Ｆの胴１０の厚みは上側に位置する釣り具Ｆの胴１０の厚みより厚くされている。
【００８２】
図示例では、上側に位置する釣り具Ｆの方向と下側に位置する釣り具Ｆの方向とは同一方向とされているところから、上下に配置された釣り具Ｆ，Ｆの推力が合算され、一個の場合に比して横方向の移動速度が速くなる。
【００８３】
これとは逆に、上側に位置する釣り具Ｆの方向と下側に位置する釣り具Ｆの方向とを逆方向とすると、下側に位置する釣り具Ｆの推力が上側に位置する釣り具Ｆの推力により減衰され、下側のみの場合に比して横方の移動速度が遅くなる。
【００８４】
また、上側に位置する釣り具Ｆの方向を下側に位置する釣り具Ｆに対して９０度ずらした方向としてシャクリを行うと、釣り具セットＳは螺旋状に動く。喩えれば、イワシの群れが円柱状に群れているような動きをする。そのため、イワシなどを餌とするハマチなどを集魚する効果が期待される。
【００８５】
実施形態９
本発明の実施形態９に係る推力付与体が具現化された釣り具セットＳを図２０に示す。実施形態９は実施形態８を改変してなるものであって、上側に位置する釣り具Ｆの胴１０を廃止してなるものとされる。
【００８６】
本実施形態は前記構成とされているところから、釣り具セットＳの全体重量が軽減されるので、取り扱いが容易となる。なお、実施形態９のその余の構成および作用・効果は実施形態８と同様とされている。
【００８７】
以上、本発明を実施形態に基づいて説明してきたが、本発明はかかる実施形態のみに限定されるものではなく、種々改変が可能である。
【００８８】
例えば、実施形態では胴１０の先端は角が丸みを帯びた三角形とされているが、先端部の形状は前記限定されるものではなく、水の抵抗が少なくなるよう流線形とされていればよい。例えば、先端部が放物線状とされてもよい。
【００８９】
また、実施形態では、胴１０の後端は切り落とし状の平面とされているが、図２１に示すように、飛行機の翼の後部形状とされてもよい。胴１０の後端をかかる構成とすることにより、胴１０後方に発生する渦が抑制され、釣り具Ｆの横移動がスピードアップする。なお、胴１０全体が流線形とされてもよい。
【００９０】
さらに、翼２０を金属で作製する場合には、図２２に示すように、水平翼３０の表裏両面および垂直翼４０の両面に、反射フィルムやホログラムフィルム３４，４４を貼付してもよい。このようにすることにより、集魚効果の向上が期待される。なお、翼２０を合成樹脂製とする場合には、素材として反射機能を有するものを用いてもよく、またホログラムが埋め込まれた合成樹脂板とすることもできる。
【００９１】
さらに、実施形態では、胴１０の先端部に係止具を設けているが、図２３に示すように、胴１０の先端部に表面から裏面に貫通する貫通孔１０ａを設け、その孔に両端にサルカン１６ａ，１６ｂが設けられた釣り糸１６を通すようにしてもよい。このようにすることにより、構成の簡素化およびコストの低減が図られる。
【００９２】
さらに、図２４に示すように、水平翼３０が載置される一段と低くされた平坦部１８を形成して胴１０上面と水平翼３０上面とを面一とするようにしてもよい。このようにすることにより、水の抵抗の低減が図られ、釣り具Ｆの横移動がスピードアップする。
【００９３】
さらに、図２５に示すように、垂直翼４０の後端に方向舵４６を設けるようにされてもよい。このようにすることにより、方向舵４６の角度に応じた螺旋運動を釣り具Ｆにさせることができる。
【００９４】
さらに、図２６，２７に示すように、釣り針Ｈに水平翼３０を装着するようにしてもよい。このようにすることにより、構成の簡素化が図られる。この場合、水平翼の材質としては、軟質の合成樹脂が用いるられる。図中、符号８７はハリスを示す。
【産業上の利用可能性】
【００９５】
本発明は釣り具産業や水産業の発展に寄与するものと期待される。
【符号の説明】
【００９６】
Ｆ      釣り具
Ｈ      釣り針
Ｓ      釣り具セット
１０      胴
１０ａ    貫通孔
１１      係止具
１１ａ    本体
１１ｂ    リング状部材
１２      係止具
１２ａ    本体
１２ｂ    リング状部材
１３      ねじ穴
１４      係止片
１４ａ    透孔
１６      釣り糸
１８      平坦部
２０      翼
３０      水平翼
３１      デルタ翼
３４      反射フィルム、ホログラムフィルム
４０      垂直翼
４０ａ    透孔
４１      デルタ翼
４４      反射フィルム、ホログラムフィルム
４６      方向舵
５０      姿勢制御機構
６０      姿勢制御部
６１      弾性部材
７０      支持部
７１      支持糸
７４      上端位置調整具
７５      球状体
７６      位置決め部材
８０      道糸
８５      仕掛け
８７      ハリス
【図１】
2013158265.tif 000003
【図２】
2013158265.tif 000004
【図３】
2013158265.tif 000005
【図４】
2013158265.tif 000006
【図５】
2013158265.tif 000007
【図６】
2013158265.tif 000008
【図７】
2013158265.tif 000009
【図８】
2013158265.tif 000010
【図９】
2013158265.tif 000011
【図１０】
2013158265.tif 000012
【図１１】
2013158265.tif 000013
【図１２】
2013158265.tif 000014
【図１３】
2013158265.tif 000015
【図１４】
2013158265.tif 000016
【図１５】
2013158265.tif 000017
【図１６】
2013158265.tif 000018
【図１７】
2013158265.tif 000019
【図１８】
2013158265.tif 000020
【図１９】
2013158265.tif 000021
【図２０】
2013158265.tif 000022
【図２１】
2013158265.tif 000023
【図２２】
2013158265.tif 000024
【図２３】
2013158265.tif 000025
【図２４】
2013158265.tif 000026
【図２５】
2013158265.tif 000027
【図２６】
2013158265.tif 000028
【図２７】
2013158265.tif 000029